(57)【特許請求の範囲】
【請求項１】
管理対象に付され所定の識別情報を非接触で送信する情報媒体と、前記情報媒体から送信された前記識別情報をもとに前記管理対象の位置を検出する管理装置とを備えた位置検出システムにおいて、
前記情報媒体は、
当該情報媒体周辺の温度を検出する温度検出手段を備え、前記温度検出手段によって検出された温度を含む温度情報を前記識別情報とともに送信し、
前記管理装置は、
前記情報媒体から送信された前記温度情報が所定の温度条件を満たすときに該情報媒体が前記管理対象に付されていると判断する判断手段と、
前記判断手段が該情報媒体が前記管理対象に付されていると判断した場合に該情報媒体の位置を前記管理対象の位置として検出する検出手段と、
を備えたことを特徴とする位置検出システム。
【発明の詳細な説明】
【技術分野】
【０００１】
この発明は、管理対象の位置を検出する位置検出システムに関する。
【背景技術】
【０００２】
無線通信システムの１つに、ＲＦＩＤ（Ｒａｄｉｏ Ｆｒｅｑｕｅｎｃｙ Ｉｄｅｎｔｉｆｉｃａｔｉｏｎ）システムがある。ＲＦＩＤシステムは、読出し機能を有するリーダライタと、リーダライタの指示にしたがい識別情報等の各種情報を送信する情報媒体とを備える。情報媒体は、カードまたはタグの形状であるものがあり、このうちタグ状の情報媒体はＲＦＩＤタグと呼ばれ、たとえば管理対象者に取り付けられる。近年、このＲＦＩＤシステムを利用し、ＲＦＩＤタグから送信された識別情報、ＲＦＩＤタグを読み取ったリーダライタの設置位置、ＲＦＩＤタグから送信された電波の強弱などによってＲＦＩＤタグの位置を検出する位置検出システムが提案されている（特許文献１〜３参照）。このような位置検出システムでは、ＲＦＩＤタグとリーダライタとの間で無線通信を行なうことによって管理対象者に付されたＲＦＩＤタグの位置を検出し、管理対象者の入退室管理などを行っている。
【０００３】
【特許文献１】特開２００３−６１１３１号公報
【特許文献２】特開２００５−５５１８６号公報
【特許文献３】特開２００５−６４７２５号公報
【発明の開示】
【発明が解決しようとする課題】
【０００４】
しかしながら、従来の位置検出システムは、管理対象者がＲＦＩＤタグを身につけていることを前提としていた。言い換えると、従来の位置検出システムでは、識別情報を送信したＲＦＩＤタグの位置を、このＲＦＩＤタグを身につけた管理対象者の位置として判断し、管理対象者の入退室管理などを行なっていた。このため、従来の位置検出システムでは、管理対象者がリーダライタの通信可能領域内にＲＦＩＤタグを落としたりした場合であって管理対象者がリーダライタの通信可能領域内に滞在していない場合であっても、このＲＦＩＤタグはリーダライタの指示にしたがって識別情報を送信する。この場合、従来の位置検出システムは、管理対象者がリーダライタの通信可能領域内に滞在していない場合であっても、ＲＦＩＤタグが通信可能領域内にある場合には、このＲＦＩＤタグに対応する管理対象者がこの通信可能領域内に滞在しているものと誤認する場合があった。この結果、従来の位置検出システムでは、管理対象者を正確に管理することができないという問題があった。
【０００５】
この発明は、上記した従来技術の欠点に鑑みてなされたものであり、管理対象者がＲＦＩＤタグを携行していない場合における管理対象者の位置検出の誤認を防止した位置検出システムを提供することを目的とする。
【課題を解決するための手段】
【０００６】
上述した課題を解決し、目的を達成するために、この発明にかかる位置検出システムは、管理対象に付され所定の識別情報を非接触で送信する情報媒体と、前記情報媒体から送信された前記識別情報をもとに前記管理対象の位置を検出する管理装置とを備えた位置検出システムにおいて、前記情報媒体は、当該情報媒体周辺の温度を検出する温度検出手段を備え、前記温度検出手段によって検出された温度を含む温度情報を前記識別情報とともに送信し、前記管理装置は、前記情報媒体から送信された前記温度情報が所定の温度条件を満たすときに該情報媒体が前記管理対象に付されていると判断する判断手段と、前記判断手段が該情報媒体が前記管理対象に付されていると判断した場合に該情報媒体の位置を前記管理対象の位置として検出する検出手段と、を備えたことを特徴とする。
【００１１】
また、この発明にかかる位置検出システムは、前記管理対象は、人であり、前記温度条件は、前記人の体温に対応する温度範囲をもとに設定されることを特徴とする。
【発明の効果】
【００１２】
本発明にかかる位置検出システムによれば、管理装置は、温度検出手段を備えた情報媒体から送信された温度情報が所定の温度条件を満たし、この情報媒体が管理対象に付されていると判断した場合にのみ管理対象の位置を検出するため、管理対象の位置の誤認を防止することができる。
【発明を実施するための最良の形態】
【００１３】
以下、図面を参照して、この発明の実施の形態である情報媒体および位置検出システムについて説明する。なお、この実施の形態によりこの発明が限定されるものではない。また、図面の記載において、同一部分には同一の符号を付している。
【００１４】
（参考例）
まず、参考例にかかる情報媒体について説明する。本参考例にかかる情報媒体として、ＲＦＩＤ機能を備え管理対象者に携行されるＲＦＩＤタグを一例として説明する。本参考例にかかるＲＦＩＤタグは、管理対象者に携行されている場合にのみ送信可能となるため、管理対象者がＲＦＩＤタグを携行していない場合における管理対象者の位置検出の誤認を防止することができる。以下、参考例にかかるＲＦＩＤタグについて説明するとともに、このＲＦＩＤタグを備えた位置検出システムについて説明する。図１は、本参考例における位置検出システムの全体構成を示す模式図である。
【００１５】
図１に示すように、参考例における位置検出システム１は、所定の識別情報等が記憶されたＲＦＩＤタグ１０と、所定周波数の電波を介してＲＦＩＤタグ１０との間で無線通信を行ないＲＦＩＤタグ１０に記憶された識別情報等を取得するリーダライタ２０と、リーダライタ２０から送出された識別情報等をもとにＲＦＩＤタグ１０を携行する管理対象者Ｈの位置を検出し、管理対象者Ｈの入退室管理などを行なう管理装置３０とを備える。リーダライタ２０と管理装置３０とはネットワーク４０を介して接続されている。なお、リーダライタ２０と管理装置３０とは、ネットワーク４０を介して接続するほか、有線または無線によって接続してもよい。
【００１６】
ＲＦＩＤタグ１０は、ＲＦＩＤタグ１０周辺の温度が所定の温度条件を満たすときに送信可能および受信可能となり、リーダライタ２０との間で無線通信を開始する。ＲＦＩＤタグ１０は、送信可能および受信可能となることによって、所定の識別情報等を含む電波をリーダライタ２０に送信し、リーダライタ２０からの指示電波に応じて記憶する情報の書替えまたは書き込みを行なう。
【００１７】
リーダライタ２０は、ＲＦＩＤタグ１０に対して所定周波数の指示電波を送信し、この指示電波に応じてＲＦＩＤタグ１０から送信される電波を受信することによって、ＲＦＩＤタグ１０に記憶された識別情報等を取得し、この識別情報等を管理装置３０に送出する。また、リーダライタ２０は、ＲＦＩＤタグ１０に対して所定周波数の指示電波を送信することによって、ＲＦＩＤタグ１０が記憶する情報の書替えおよび書き込みを行なう。なお、図１の位置検出システム１は、説明の容易化のため管理領域Ａを通信可能範囲とするリーダライタ２０を備えた場合を示しているが、実際の位置検出システム１では、複数の管理領域ごとにそれぞれリーダライタ２０を備えてもよく、また、所定の通信可能範囲内に複数のリーダライタ２０を備えてもよい。
【００１８】
管理装置３０は、制御部３２と検出部３４とを備え、各種情報等が格納されるデータベース３８と有線または無線によって接続されている。制御部３２は、各構成部位の処理動作を制御する。検出部３４は、ネットワーク４０を介してリーダライタ２０から送出されたＲＦＩＤタグ１０の識別情報、ＲＦＩＤタグを読み取ったリーダライタ２０の設置位置、ＲＦＩＤタグ１０から送信された電波の強弱等をもとに、このＲＦＩＤタグ１０の位置を検出し、このＲＦＩＤタグ１０に対応する管理対象者Ｈの位置として出力する。制御部３２は、検出部３４が検出した位置情報等をデータベース３８に格納する。また、制御部３２は、必要に応じて、所定の情報をリーダライタ２０に送出し、リーダライタ２０に対してＲＦＩＤタグ１０の情報の書替えおよび書き込みを指示する。
【００１９】
ここで、図２を参照してＲＦＩＤタグ１０について説明する。図２は、図１に示すＲＦＩＤタグ１０の概略構成を示すブロック図である。図２に示すように、ＲＦＩＤタグ１０は、送受信部１１と、電力供給部１２と、温度検出部１３と、スイッチング部１４と、スイッチング制御部１５とを備える。このうち、電力供給部１２は、送受信部１１およびスイッチング制御部１５に動作電力を供給する。送受信部１１と電力供給部１２とは、スイッチング部１４を介して電気的に接続し、スイッチング制御部１５と電力供給部１２とは電気的に接続する。
【００２０】
送受信部１１は、所定の識別情報を非接触で送信する。送受信部１１は、電力供給部１２から動作電力を供給されることによって、リーダライタ２０との間で無線通信を行なう。このため、送受信部１１は、電力供給部１２と電気的に接続する場合に無線通信処理を行なうことができる。これに対し、送受信部１１は、電力供給部１２と電気的に接続していない場合には、無線通信処理を行なうことができない。
【００２１】
温度検出部１３は、ＲＦＩＤタグ１０周辺の温度を検出する温度センサーである。温度検出部１３は、検出したＲＦＩＤタグ１０周辺の温度をスイッチング制御部１５に出力する。なお、温度検出部１３は、スイッチング制御部１５の制御のもと、温度検出処理を行ってもよい。
【００２２】
スイッチング部１４は、オン状態の場合に送受信部１１を送信可能および受信可能とし、オフ状態の場合に送受信部１１の送信機能および受信機能を阻止する。スイッチング部１４は、オフ状態の場合に、送受信部１１に対するエネルギー供給機能を阻止する。言い換えると、スイッチング部１４は、オン状態となることによって、送受信部１１と電力供給部１２とを電気的に接続する。この場合、送受信部１１は、電力供給部１２からの電力供給を受けることができ、リーダライタ２０との間で無線通信処理を行なうことが可能となる。これに対し、スイッチング１４は、オフ状態となることによって、送受信部１１と電力供給部１２との電気的接続を阻止する。この場合、送受信部１１は、電力供給部１２からの電力供給を受けることができず、リーダライタ２０との間で無線通信処理を行なうことができない。
【００２３】
スイッチング制御部１５は、スイッチング部１４におけるオン状態およびオフ状態を制御する。スイッチング制御部１５は、温度検出部１３によって検出された温度が所定の温度条件を満たすときにスイッチング部１４をオン状態にする。これに対し、スイッチング制御部１５は、温度検出部１３によって検出された温度が所定の温度条件を満たさないときにはスイッチング部１４をオフ状態にする。所定の温度条件は、管理対象に応じて設定され、たとえば、人に携行されるＲＦＩＤタグ１０の場合、人の体温に対応する温度範囲をもとに設定される。具体的には、所定の温度条件として、閾値温度Ｔｃを人の体温に対応する３６℃に設定する。この場合、スイッチング制御部１５は、温度検出部１３によって検出された検出温度Ｔｍが閾値温度Ｔｃを超える場合に、スイッチング部１４をオン状態にする。検出温度Ｔｍが閾値温度Ｔｃを超える場合には、このＲＦＩＤタグ１０は、管理対象者Ｈに携行されているものと考えられるためである。また、スイッチング制御部１５は、温度検出部１３によって検出された検出温度Ｔｍが閾値温度Ｔｃを下回る場合に、スイッチング部１４をオフ状態にする。ＲＦＩＤタグ１０は、管理対象者Ｈに携行されていない場合には、ＲＦＩＤタグ１０周辺の温度は、室内の温度となり、通常、室内の温度は、人の体温を超えることはない。このため、検出温度Ｔｍが閾値温度Ｔｃを下回る場合には、このＲＦＩＤタグ１０は、管理対象者Ｈに携行されていないと考えられる。なお、スイッチング制御部１５は、温度検出部１３によって検出された温度が、所定の温度範囲内にある場合にスイッチング部１４をオン状態にしてもよい。たとえば、スイッチング制御部１５は、検出温度Ｔｍが人の体温温度近傍に対応する３５．５℃から３７．５℃の温度範囲にある場合に、スイッチング部１４をオン状態とする。この場合も同様に、検出温度Ｔｍがこの温度範囲内にある場合には、このＲＦＩＤタグ１０は、管理対象者Ｈに携行されているものと考えられる。
【００２４】
送受信部１１は、制御部１６と、記憶部１７と、処理部１８と、アンテナ１９とを備える。制御部１６は、記憶部１７、処理部１８の各処理または動作を制御する。制御部１６は、これらの各構成部位に入出力される情報について所定の入出力制御を行ない、かつ、この情報に対して所定の情報処理を行なう。記憶部１７は、ＲＦＩＤタグ１０を識別するＩＤ番号など所定の識別情報を含む各種情報を記憶する。処理部１８は、制御部１６の制御のもと、リーダライタ２０との間で無線通信を行なう。処理部１８は、リーダライタ２０から送信された指示電波をアンテナ１９を介して受信し、この指示電波に対応する電気信号を必要に応じて復調してリーダライタ２０からの指示情報を取得する。処理部１８は、取得した指示情報を制御部１６に送出する。この指示情報として、記憶部１７に記憶された識別情報等を含む電波の送信指示のほか、記憶部１７に記憶される情報の書替え指示、または、記憶部１７に対する情報の書き込み指示がある。また、処理部１８は、制御部１６の制御のもと、記憶部１７に記憶された識別情報等に対応する電気信号を必要に応じて変調し、アンテナ１９に送出する。そして、処理部１８は、アンテナ１９に対して、この電気信号に対応する所定の電波を送信するよう制御する。アンテナ１９は、処理部１８の制御のもと、管理領域Ａに設置されたリーダライタ２０との間において所定周波数の電波を送受信する。この場合、アンテナ１９は、リーダライタ２０から送信された指示電波を受信し、受信した指示電波に対応する電気信号を処理部１８に送出する。また、アンテナ１９は、処理部１８から入力された電気信号に対応する所定の電波をリーダライタ２０に対して送信する。
【００２５】
つぎに、ＲＦＩＤタグ１０の動作処理を説明する。図３は、図１および図２に示すＲＦＩＤタグ１０の動作処理を説明するフローチャートである。まず、温度検出部１３は、ＲＦＩＤタグ１０周辺の温度を検出し、検出した温度をスイッチング制御部１５に出力する温度検出処理を行なう（ステップＳ１０２）。スイッチング制御部１５は、温度検出部１３が検出した検出温度Ｔｍと所定の閾値温度Ｔｃとを比較し、検出温度Ｔｍ＞閾値温度Ｔｃであるか否かを判断する（ステップＳ１０４）。
【００２６】
スイッチング制御部１５が検出温度Ｔｍ＞閾値温度Ｔｃであると判断した場合（ステップＳ１０４：Ｙｅｓ）、このＲＦＩＤタグ１０は管理対象者Ｈに携行されていると考えられる。この場合、スイッチング制御部１５は、スイッチング部１４をオン状態にし（ステップＳ１０６）、送受信部１１と電力供給部１２とを電気的に接続する。この結果、送受信部１１は、電力供給部１２から電力供給を受けることができ、リーダライタ２０との間において、識別情報等の情報の送受信を行なう（ステップＳ１０８）。
【００２７】
これに対し、スイッチング制御部１５が検出温度Ｔｍ＞閾値温度Ｔｃでないと判断した場合（ステップＳ１０４：Ｎｏ）、このＲＦＩＤタグ１０は管理対象者Ｈに携行されていないと考えられる。この場合、スイッチング制御部１５は、スイッチング部１４をオフ状態にし（ステップＳ１１０）、送受信部１１と電力供給部１２とを電気的接続を阻止する。この結果、送受信部１１は、電力供給部１２から電力供給を受けることができず、リーダライタ２０との間の情報の送受信を行わない。すなわち、ＲＦＩＤタグ１０は、リーダライタ２０に対して識別情報等を送信しない。
【００２８】
つぎに、ＲＦＩＤタグ１０とリーダライタ２０との間における無線通信処理について具体的に説明する。まず、図４を参照して、ＲＦＩＤタグ１０が管理対象者Ｈに携行されている場合について説明する。この場合、ＲＦＩＤタグ１０は管理対象者Ｈに携行されているため、ＲＦＩＤタグ１０周辺の温度は人の体温近傍の温度となり、この温度が温度検出部１３によって検出される。このため、ＲＦＩＤタグ１０においては、スイッチング制御部１５は、温度検出部１３が検出した検出温度Ｔｍが閾値温度Ｔｃを超えていると判断し、矢印Ｙ４に示すように、スイッチング部１４をオフ状態からオン状態にする。この結果、送受信部１１と電力供給部１２とが電気的に接続するため、送受信部１１は、電力供給部１２から電力の供給を受けることができ、送信可能および受信可能となる。したがって、ＲＦＩＤタグ１０は、リーダライタ２０から送信された指示電波Ｗａを受信することができ、この指示電波Ｗａの指示にしたがって、識別情報等を含む電波Ｗｂを送信することができる。管理装置３０は、リーダライタ２０から入力された電波Ｗｂに対応する情報をもとに、ＲＦＩＤタグ１０の位置を検出し、検出したＲＦＩＤタグ１０の位置を管理対象者Ｈの位置として登録する。
【００２９】
つぎに、図５を参照して、ＲＦＩＤタグ１０が管理対象者Ｈから外され、管理対象者Ｈによって携行されていない場合について説明する。この場合、ＲＦＩＤタグ１０は、管理対象者Ｈに携行されていないため、ＲＦＩＤタグ１０周辺の温度は、室内の温度となり、この温度が温度検出部１３によって検出される。通常、室内の温度は、人の体温を超えることはない。このため、ＲＦＩＤタグ１０においては、スイッチング制御部１５は、温度検出部１３が検出した検出温度Ｔｍが閾値温度Ｔｃを超えていないと判断し、矢印Ｙ５に示すように、スイッチング部１４をオフ状態にする。この結果、送受信部１１と電力供給部１２との電気的な接続は遮断されるため、送受信部１１は、電力供給部１２から電力の供給を受けることができず、送信処理および受信処理を行なうことができない。したがって、ＲＦＩＤタグ１０は、リーダライタ２０から指示電波Ｗａが送信された場合であっても、指示電波Ｗａを受信することができず、識別情報等を含む電波Ｗｂを送信することもない。この結果、管理装置３０は、リーダライタ２０から電波Ｗｂに対応する情報を入力されることもなく、ＲＦＩＤタグ１０の位置検出を行なうこともない。
【００３０】
このように、本参考例にかかるＲＦＩＤタグ１０は、温度検出部１３によって検出された温度が所定の温度条件を満たすときに、送受信部１１への電力供給を行ない、送受信部１１を送信可能および受信可能とする。このため、ＲＦＩＤタグ１０は、管理対象者Ｈによって携行されている場合などのように所定の温度条件下にＲＦＩＤタグ１０が存在している場合にのみ、リーダライタ２０との間で無線通信を行なうことができる。言い換えると、管理対象者Ｈによって携行されていない場合などのように所定の温度条件下にＲＦＩＤタグ１０が存在していない場合には、リーダライタ２０との間で無線通信を行なうことができない。したがって、管理対象者Ｈがリーダライタ２０の管理領域Ａ内にＲＦＩＤタグを落とすなどした場合であって管理対象者Ｈがリーダライタ２０の通信可能領域内に滞在していない場合、このＲＦＩＤタグ１０は、送受信部１１が機能しないため、識別情報等を送信しない。この結果、本参考例における位置検出システム１では、管理対象者Ｈがリーダライタ２０の通信可能領域内にＲＦＩＤタグを落とすなどした場合であって、管理対象者Ｈがリーダライタ２０の通信可能領域内に滞在していない場合であっても、管理対象者Ｈの位置を誤認することがなく、管理対象者Ｈを正確に管理することが可能となる。
【００３１】
また、参考例にかかるＲＦＩＤタグ１０では、管理対象者Ｈに携行されていない場合には、スイッチング部１４がオフ状態となり電力供給部１２から送受信部１１に対する電力供給が行なわれない。このため、ＲＦＩＤタグ１０では、管理対象者Ｈに携行されていない場合には、送受信部１１において電力が消費されない。したがって、ＲＦＩＤタグ１０では、常に送受信部に電力が供給される従来のＲＦＩＤタグと比較し、消費電力の低減を図ることが可能となり、電力供給部１２を構成する電池の消費を抑えることができる。
【００３２】
（実施の形態）
つぎに、実施の形態について説明する。実施の形態では、ＲＦＩＤタグは、識別情報とともにＲＦＩＤタグ周辺の温度情報を送信し、管理装置は、ＲＦＩＤタグから送信された温度情報をもとにＲＦＩＤタグが管理対象者に携行されていると判断した場合にのみ、このＲＦＩＤタグの位置を検出する。
【００３３】
図６は、実施の形態にかかる位置検出システムの全体構成を示す模式図であり、図７は、図６に示すＲＦＩＤタグの概略構成を示すブロック図である。図２に示すように、実施の形態にかかる位置検出システム２０１は、参考例における位置検出システムと比較し、ＲＦＩＤタグ１０に代えて、検出した温度を含む温度情報を所定の識別情報とともに送信するＲＦＩＤタグ２１０を有し、管理装置３０に代えて、ＲＦＩＤタグ２１０から送信された温度情報をもとにＲＦＩＤタグ２１０が管理対象者Ｈに付されているか否かを判断する管理装置２３０を有する。
【００３４】
図７に示すように、ＲＦＩＤタグ２１０は、ＲＦＩＤタグ１０と比較し、温度検出部１３、スイッチング部１４およびスイッチング制御部１５を削除した構成である。また、ＲＦＩＤタグ２１０は、送受信部１１に代えて、制御部２１６と記憶部１７と処理部２１８とアンテナ１９とを有する送受信部２１１を備え、また、温度検出部２１３を備える。送受信部２１１と電力供給部１２とは、電気的に接続し、送受信部２１１における制御部２１６と温度検出部２１３とは、電気的に接続する。温度検出部２１３は、温度検出部１３と同様の機能を有し、ＲＦＩＤタグ２１０周辺の温度を検出し、検出した温度を制御部２１６に出力する。制御部２１６は、制御部１６と同様に機能する。制御部２１６は、処理部２１８に対して、記憶部１７に記憶された識別情報とともに温度検出部２１３によって検出された温度を含む温度情報を外部のリーダライタ２０に対して送信させる。処理部２１８は、処理部１８と同様の機能を有するとともに、識別情報と温度情報とに対応する電気信号を必要に応じて変調し、アンテナ１９に送出する。そして、処理部２１８は、アンテナ１９に対して、この電気信号に対応する所定の電波を、指示電波に対応する電波としてリーダライタ２０に送信するよう制御する。したがって、実施の形態におけるＲＦＩＤタグ２１０は、温度検出部２１３によって検出された温度を含む温度情報を識別情報とともにリーダライタ２０に送信することとなる。この結果、リーダライタ２０は、管理装置２３０に対して、識別情報と温度情報とを含む情報をＲＦＩＤタグ２１０から受信した情報として送出する。
【００３５】
管理装置２３０は、管理装置３０と同様の機能を有するとともに、管理装置３０と比較し、判断部２３６をさらに備えた構成を有する。また、管理装置２３０は、管理装置３０と比較し、制御部３２に代えて、制御部２３２を有する。判断部２３６は、ＲＦＩＤタグ２１０から送信された温度情報をもとに、このＲＦＩＤタグ２１０が管理対象者Ｈに携行されているか否かを判断する。制御部２３２は、制御部３２と同様の機能を有するとともに、判断部２３６の判断結果に応じて、検出部３４に管理対象者Ｈの位置検出処理を指示する。
【００３６】
判断部２３６は、ＲＦＩＤタグ２１０から送信された温度情報が所定の温度条件を満たすときに、このＲＦＩＤタグ２１０が管理対象者Ｈに付されていると判断する。この場合、検出部３４は、このＲＦＩＤタグ２１０の位置を、このＲＦＩＤタグ２１０が付されている管理対象者Ｈの位置として検出する。一方、判断部２３６は、ＲＦＩＤタグ２１０から送信された温度情報が所定の温度条件を満たさないときに、このＲＦＩＤタグ２１０が管理対象者Ｈに付されていないと判断する。この場合、検出部３４は、このＲＦＩＤタグ２１０に対応する管理対象者Ｈの位置検出処理を行なわない。所定の温度条件は、管理対象に応じて設定され、たとえば、人に携行されるＲＦＩＤタグ２１０の場合、人の体温に対応する温度範囲をもとに設定される。具体的には、所定の温度条件として、閾値温度Ｔｃを人の体温に対応する３６℃に設定する。この場合、判断部２３６は、ＲＦＩＤタグ２１０から送信された温度情報Ｔｉが閾値温度Ｔｃを超える場合に、このＲＦＩＤタグ２１０が管理対象者Ｈに付されていると判断する。温度情報Ｔｉが閾値温度Ｔｃを超えている場合には、このＲＦＩＤタグ２１０は、管理対象者Ｈに携行されているものと考えられるためである。また、判断部２３６は、ＲＦＩＤタグ２１０から送信された温度情報Ｔｉが、閾値温度Ｔｃを下回る場合には、このＲＦＩＤタグ２１０が管理対象者Ｈに付されていないと判断する。ＲＦＩＤタグ２１０は、管理対象者Ｈに携行されていない場合には、ＲＦＩＤタグ２１０周辺の温度は、室内の温度となり、通常、室内の温度は、人の体温を超えることはない。このため、検出温度Ｔｍが閾値温度Ｔｃを下回る場合には、このＲＦＩＤタグ２１０は、管理対象者Ｈに携行されていないと考えられる。なお、判断部２３６は、温度情報Ｔｉが、所定の温度範囲内にある場合に、このＲＦＩＤタグ２１０が管理対象者Ｈに付されていると判断してもよい。たとえば、判断部２３６は、温度情報Ｔｉが人の体温温度近傍に対応する３５．５℃から３７．５℃の温度範囲にある場合に、このＲＦＩＤタグ２１０が管理対象者Ｈに付されていると判断する。この場合も同様に、温度情報Ｔｉがこの温度範囲内にある場合には、このＲＦＩＤタグ２１０は、管理対象者Ｈに携行されているものと考えられる。
【００３７】
つぎに、管理装置２３０における位置検出処理について説明する。図８は、管理装置２３０による位置検出処理の処理手順を示すフローチャートである。まず、制御部２３２は、リーダライタ２０からＲＦＩＤタグ２１０の状態を示す状態情報を受信したか否かを判断する（ステップＳ２０２）。この状態情報には、ＲＦＩＤタグ２１０の識別情報、ＲＦＩＤ２１０タグを読み取ったリーダライタ２０の設置位置、ＲＦＩＤタグ２１０から送信された電波の強弱等が含まれる。制御部２３２は、状態情報を受信するまでステップＳ２０２の判断を繰り返し、状態情報を受信したと判断した場合（ステップＳ２０２：Ｙｅｓ）、この状態情報をもとに管理対象者Ｈが管理領域Ａに入場または管理領域Ａから退場したか否かを判断する（ステップＳ２０４）。制御部２３２は、管理対象者Ｈが管理領域Ａから退場したと判断した場合（ステップＳ２０４：退場）、このＲＦＩＤタグ２１０に対応する位置情報、すなわち、管理対象者Ｈの位置情報を削除する（ステップＳ２０６）。管理対象者Ｈが管理領域Ａから退場したため、管理対象者Ｈに対する入退室管理をする必要がないためである。そして、制御部２３２は、ステップＳ２０２に進み、リーダライタ２０からＲＦＩＤタグ２１０の状態を示す状態情報を受信するまで、ステップＳ２０２の判断を繰り返す。
【００３８】
また、制御部２３２が管理対象者Ｈが管理領域Ａに入場したと判断した場合（ステップＳ２０４：入場）、判断部２３６は、ＲＦＩＤタグ２１０における識別情報および温度情報を取得する（ステップＳ２０８）。判断部２３６は、取得した温度情報Ｔｉと閾値温度Ｔｃとを比較し、温度情報Ｔｉ＞閾値温度Ｔｃであるか否かを判断する（ステップＳ２１０）。
【００３９】
判断部２３６は、温度情報Ｔｉ＞閾値温度Ｔｃであると判断した場合（ステップＳ２１０：Ｙｅｓ）、管理対象者ＨがＲＦＩＤタグ２１０を携行していると判断し（ステップＳ２１２）、この判断結果を制御部２３２に出力する。この場合、制御部２３２は、管理対象者Ｈの入退室管理を行なうため、検出部３４に対して位置検出処理を指示する。検出部３４は、制御部２３２の制御のもと、ＲＦＩＤタグ２１０の識別情報等をもとに、管理対象者Ｈの位置を検出し、検出した位置を管理対象者の位置を示す位置情報として登録する（ステップＳ２１４）。そして、制御部２３２は、ステップＳ２０２に進み、状態情報が入力されるまでステップＳ２０２の判断を繰り返す。
【００４０】
これに対し、判断部２３６は、温度情報Ｔｉ＞閾値温度Ｔｃでないと判断した場合（ステップＳ２１０：Ｎｏ）、管理対象者ＨがＲＦＩＤタグ２１０を携行していないと判断し（ステップＳ２１６）、この判断結果を制御部２３２に出力する。この場合、制御部２３２は、管理領域Ａ内に管理対象者Ｈが存在しないため、管理対象者Ｈの入退室管理を行なわない。したがって、制御部２３２は、検出部３４に対する位置検出処理を指示せず、検出部３４は、管理対象者Ｈの位置を検出することはない。そして、制御部２３２は、ステップＳ２０２に進み、状態情報が入力されるまでステップＳ２０２の判断を繰り返す。
【００４１】
このように、本実施の形態にかかる位置検出システム２０１では、管理装置２３０は、温度検出部２１３を備えたＲＦＩＤタグ２１０から送信された温度情報が所定の温度条件を満たすときに、このＲＦＩＤタグ２１０の位置を管理対象者Ｈの位置として検出する。このため、位置検出システム２０１は、管理対象者Ｈによって携行されている場合などのように所定の温度条件下にＲＦＩＤタグ２１０が存在している場合にのみ、管理対象者Ｈの位置を検出することとなる。この結果、位置検出システム２０１では、管理対象者Ｈがリーダライタ２０の通信可能領域内にＲＦＩＤタグ２１０を落とすなどした場合であって、管理対象者Ｈがリーダライタ２０の通信可能領域内に滞在していない場合であっても、管理対象者Ｈの位置を誤認することがなく、管理対象者Ｈを正確に管理することが可能となる。
【００４２】
また、上記参考例および上記実施の形態で説明した位置検出システム１，２０１は、あらかじめ用意されたプログラムをパーソナル・コンピュータやワークステーションなどのコンピュータシステムで実行することによって実現することができる。以下、上記実施の形態で説明した位置検出システムと同様の機能を有する位置検出プログラムを実行するコンピュータシステムについて説明する。
【００４３】
図９は、上述した実施の形態を用いたコンピュータシステムの構成を示すシステム構成図であり、図１０は、このコンピュータシステムにおける本体部の構成を示すブロック図である。図９に示すように、本実施の形態にかかるコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００４４】
また、このコンピュータシステム１００における本体部１０１は、図１０に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００４５】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２、プリンタ１１３などが接続される。
【００４６】
そして、このコンピュータシステム１００は、所定の記録媒体に記録された位置検出プログラムを読み出して実行することで位置検出システムを実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能な位置検出プログラムを記録する、あらゆる記録媒体を含むものである。
【００４７】
すなわち、位置検出プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体から位置検出プログラムを読み出して実行することで位置検出システムおよび位置検出方法を実現する。なお、位置検出プログラムは、コンピュータシステム１００によって実行されることに限定されるものではなく、他のコンピュータシステム１１１またはサーバ１１２が位置検出プログラムを実行する場合や、これらが協働して位置検出プログラムを実行するような場合にも、本発明を同様に適用することができる。
【図面の簡単な説明】
【００４８】
【図１】参考例における位置検出システムの全体構成を示す模式図である。
【図２】図１に示すＲＦＩＤタグの概略構成を示すブロック図である。
【図３】図１および図２に示すＲＦＩＤタグ１０の動作処理を説明するフローチャートである。
【図４】ＲＦＩＤタグとリーダライタとの間における無線通信処理について説明した図である。
【図５】ＲＦＩＤタグとリーダライタとの間における無線通信処理について説明した図である。
【図６】実施の形態にかかる位置検出システムの全体構成を示す模式図である。
【図７】図６に示すＲＦＩＤタグの概略構成を示すブロック図である。
【図８】図６に示す管理装置による位置検出処理の処理手順を示すフローチャートである。
【図９】実施の形態を用いたコンピュータシステムの構成を示す構成図である。
【図１０】図１０に示したコンピュータシステムにおける本体部の構成を示すブロック図である。
【符号の説明】
【００４９】
１、２０１  位置検出システム
１０、２１０  ＲＦＩＤタグ
１１、２１１  送受信部
１２  電力供給部
１３、２１３  温度検出部
１４  スイッチング部
１５  スイッチング制御部
１６、２１６  制御部
１７  記憶部
１８、２１８  処理部
１９  アンテナ
２０  リーダライタ
３０，２３０  管理装置
３２、２３２  制御部
３４  検出部
３８  データベース
４０  ネットワーク
２３６  判断部
Ｈ  管理対象者
１００  コンピュータシステム
１０１  本体部
１０２  ディスプレイ
１０２ａ  表示画面
１０３  キーボード
１０４  マウス
１０５  モデム
１０６  ローカルエリアネットワークまたは広域エリアネットワーク（ＬＡＮ／ＷＡＮ）
１０７  公衆回線
１０８  フレキシブルディスク（ＦＤ）
１０９  ＣＤ−ＲＯＭ
１１１  他のコンピュータシステム（ＰＣ）
１１２  サーバ
１１３  プリンタ
１２１  ＣＰＵ
１２２  ＲＡＭ
１２３  ＲＯＭ
１２４  ハードディスクドライブ（ＨＤＤ）
１２５  ＣＤ−ＲＯＭドライブ
１２６  ＦＤドライブ
１２７  Ｉ／Ｏインターフェース
１２８  ＬＡＮインターフェース
【図１】
0004730594.tif 000002
【図２】
0004730594.tif 000003
【図３】
0004730594.tif 000004
【図４】
0004730594.tif 000005
【図５】
0004730594.tif 000006
【図６】
0004730594.tif 000007
【図７】
0004730594.tif 000008
【図８】
0004730594.tif 000009
【図９】
0004730594.tif 000010
【図１０】
0004730594.tif 000011